(57)【特許請求の範囲】
【請求項１】
所定の確率で特賞状態を呈する構成のパチンコ台側から出力されるアウト信号及びセーフ信号に基づいて、当該パチンコ台についてのアウト玉数に対するセーフ玉数の比率を示す出玉率を演算し出力する演算手段を備えた遊技場用データ管理システムにおいて、
前記演算手段は、前記アウト玉数及びセーフ玉数を各パチンコ台に予め設定されている理論上の特賞発生確率に基づいて補正することにより補正アウト玉数及び補正セーフ玉数を算出し、その補正アウト玉数を補正セーフ玉数により除算することにより補正出玉率を算出し、この補正出玉率を前記出玉率と一緒に出力することを特徴とする遊技場用データ管理システム。
【請求項２】
前記パチンコ台が、特賞状態終了後に特賞発生確率を高めた確率変動状態を呈する構成のものであった場合には、前記演算手段は、前記アウト玉数及びセーフ玉数の補正演算を、各パチンコ台に予め設定されている理論上の特賞発生確率及び確率変動状態での理論上の特賞発生確率に基づいて行って前記補正出玉率を算出することを特徴とする請求項１記載の遊技場用データ管理システム。
【発明の詳細な説明】
【０００１】
【発明の属する技術分野】
本発明は、所定の確率で特賞状態を呈する構成のパチンコ台についてのデータを管理するための遊技場用データ管理システムに関する。
【０００２】
【発明が解決しようとする課題】
従来、パチンコホールのような遊技場では、パチンコ台に対して、当該パチンコ台についての各種の稼働データ、例えばその出玉率や割数などを目標値に近付けるために釘調整を行い、一日の営業終了後において実際の出玉率や割数のデータを算出してそれらが目標値通りであったか否かを分析・検証することにより、釘調整の有効性を確認するようにしている。
【０００３】
ところで、近年のセブン機（デジパチ）や権利物と呼ばれる所謂特賞台に属するパチンコ台は、特賞状態や確率変動状態の発生率の高低によって出玉率や割数が大きく変動するという事情があるのに対して、それら特賞状態や確率変動状態が発生するタイミングは不規則になり勝ちであるため、釘調整を行っても目標通りの出玉率や割数に落ち着きにくいのが実情である。即ち、特賞状態や確率変動状態が発生するか否かは、釘調整とは無関係にパチンコ台内部で行われる抽選により決定されるため、１日の営業時間帯で見た場合、特賞状態や確率変動状態の発生率が理論値（パチンコ台メーカーが発表している値）を大きく上回ったり、逆に下回ったりすることが珍しくなく、結果的に実際に得られる出玉率データや割数データが釘調整による目標値から大きくかけ離れてしまう。このように、特賞状態や確率変動状態の発生率が理論値通りでない状態で算出した出玉率データ及び割数データを分析・検証してみても、釘調整が正しく行われたものであるかを判断することは極めて困難になるという事情があった。
【０００４】
本発明は上記事情に鑑みてなされたものであり、その目的は、特賞状態を呈するパチンコ台に対する釘調整の適否を、パチンコ台についての出玉率を示すデータに基づいて容易且つ適正に判断できるようになる遊技場用データ管理システムを提供することにある。
【０００５】
【課題を解決するための手段】
請求項１記載の発明は、上記目的を達成するために、所定の確率で特賞状態を呈する構成のパチンコ台側から出力されるアウト信号及びセーフ信号に基づいて、当該パチンコ台についてのアウト玉数に対するセーフ玉数の比率を示す出玉率を演算し出力する演算手段を備えた遊技場用データ管理システムにおいて、
前記演算手段を、前記アウト玉数及びセーフ玉数を各パチンコ台に予め設定されている理論上の特賞発生確率に基づいて補正することにより補正アウト玉数及び補正セーフ玉数を算出し、その補正アウト玉数を補正セーフ玉数により除算することにより補正出玉率を算出し、この補正出玉率を前記出玉率と一緒に出力する構成としたものである。
【０００６】
この構成によれば、演算手段は、パチンコ台側から出力されるアウト信号及びセーフ信号に基づいて、当該パチンコ台についてのアウト玉数に対するセーフ玉数の比率を示す出玉率を演算し出力する。また、演算手段では、前記アウト玉数及びセーフ玉数を各パチンコ台に予め設定されている理論上の特賞発生確率という釘調整の影響を受けないデータに基づいて補正することにより補正アウト玉数及び補正セーフ玉数を算出すると共に、その補正アウト玉数を補正セーフ玉数により除算することにより補正出玉率を算出し、このように算出した補正出玉率を前記出玉率と一緒に出力される。このため、その補正出玉率に基づいて釘調整の適否を容易且つ適正に判断できるようになり、また、補正出玉率と出玉率との比較により当該出玉率の補正演算による影響をきわめて容易に確認できるようになる。
【０００７】
この場合、請求項２記載の発明のように、前記パチンコ台が、特賞状態終了後に特賞発生確率を高めた確率変動状態を呈する構成のものであった場合には、前記演算手段は、前記アウト玉数及びセーフ玉数の補正演算を、各パチンコ台に予め設定されている理論上の特賞発生確率及び確率変動状態での理論上の特賞発生確率に基づいて行って前記補正出玉率を算出する構成とすることができる。
【０００８】
この構成によれば、データ管理対象のパチンコ台が確率変動状態を呈する構成のものであった場合には、理論上の特賞発生確率及び確率変動状態での理論上の特賞発生確率に基づいてパチンコ台における出玉率を補正する演算が行われて、その演算結果が補正出玉率として上記出玉率と共に出力されることになるので、その補正出玉率に基づいて釘調整の適否を容易且つ適正に判断できると共に、補正演算の影響をきわめて容易に確認できるようになる。
【００１１】
【発明の実施の形態】
以下、本発明の一実施例について図面を参照しながら説明する。
図１には本実施例による遊技場用データ管理システムの全体構成が概略的に示されている。この図１において、遊技場内には複数のパチンコ台１が設置されていると共に、各パチンコ台１に隣接してＣＲ（カードリーダ）機２が設置されている。このＣＲ機２は、図示しないプリペイドカードが挿入された状態で当該プリペイドカードに記憶された残高金額の範囲内でパチンコ玉を貸し出すもので、貸し出されたパチンコ玉はパチンコ台１からその玉受皿へ直接的に払い出されるようになっている。
尚、図示しないが、パチンコ台１は、電気役物がスタート状態となったときに所定の確率で特賞状態を呈する共に、その特賞状態終了後に所定の確率で確変当選状態となったときに特賞発生確率を高めた確率変動状態を呈する構成のものである。
【００１２】
２台ずつのパチンコ台１及びＣＲ機２に対応して入出力インタフェース部３が設けられており、各パチンコ台１及びＣＲ機２は対応する入出力インタフェース部３に接続されている。また、各入出力インタフェース部３は島管理装置４と接続され、その島管理装置４は集中管理装置５（演算手段に相当）と接続されている。
入出力インタフェース部３は、パチンコ台１及びＣＲ機２から出力される各種信号をリアルタイムで入力すると共に、入力した信号を島管理装置４へ出力するようになっている。
【００１３】
この場合、パチンコ台１から入出力インタフェース部３には以下のような信号が出力される。
▲１▼  アウト信号（アウト玉１個に付き１パルス）
▲２▼  セーフ信号（セーフ玉１個に付き１パルス）
▲３▼  スタート信号（電気役物がスタート状態になる毎に１パルス）
▲４▼  特賞信号（特賞状態が発生した期間中立ち上がるレベル信号）
▲５▼  確変信号（確率変動状態が発生した期間中立ち上がるレベル信号）
【００１４】
また、ＣＲ機２から入出力インタフェース部３には以下のような信号が出力される。
▲６▼  売上信号（例えば１００円の売上がある毎に１パルス）
尚、図２には、上記▲１▼〜▲６▼の各信号の出力タイミング例が示されている。
【００１５】
島管理装置４は島毎に設けられており、各入出力インタフェース部３から入力した信号に基づいて各種累積データをパチンコ台１毎に区分して記憶し、集中管理装置５によりポーリングされたときは記憶した累積データを出力するようになっている。
【００１６】
集中管理装置５は、各島管理装置４にポーリング方式でアクセスすることにより当該島管理装置４が記憶している累積データを集計記憶する構成となっており、その記憶データに基づいて種々のデータを算出するための演算処理を行うようになっている。
【００１７】
即ち、集中管理装置５が算出するデータのうち、ここでは「本日営業データ」、「釘実態データ」について説明する。
本日営業データは、パチンコ台１の機種毎に分類整理されるデータであり、図３に示す内容となっている。この図３に示された本日営業データは、所定機種の複数のパチンコ台１についての各種データを営業日毎に平均したものであり、「釘データ」群と「売上データ」群とに区分される。
【００１８】
これらのうち、「釘データ」は以下に述べる各データを含んだものとなっている。
ａ．アウト（累計アウト玉数）：但し、実際の値を１／１０した値
ｂ．出玉率（累計セーフ玉数／累計アウト玉数（％））
ｃ．ベース（特賞状態及び確率変動状態にない通常状態での出玉率（％））
ｄ．Ｓ（スタート：電気役物の単位アウト玉数ΔＵ（例えば、１０００）当たりの平均スタート回数）
ｅ．ＴＳ（パチンコ台１のメーカーが発表している理論上の特賞発生確率の逆数＝特賞発生までの平均スタート回数）
ｆ．ＢＡ（パチンコ台１が確率変動状態にある期間の出玉率（％））
ｇ．Ｔ１Ｙ（パチンコ台１が特賞状態にある期間の差玉数（セーフ玉数−アウト玉数）
ｈ．ＴＯ（パチンコ台１が特賞及び確率変動状態にある期間のアウト玉数）
ｉ．ＴＹ（パチンコ台１が特賞及び確率変動状態にある期間の差玉数）
ｊ．ＢＹ（通常状態での有効スタート入賞以外の出玉率（％））
ｋ．ＳＡ（パチンコ台１が確率変動状態にある期間の単位アウト玉数ΔＵ（例えば、１０００）当たりの平均スタート回数）
ｌ．ＢＯ（パチンコ台１において特賞状態が発生するまでの平均アウト玉数（＝ＴＳ／Ｓ×ΔＵ））
【００１９】
一方、「売上データ」は以下に述べる各データを含んだものとなっている。
ｍ．台売上（パチンコ台１台当たりの売上（円））
ｎ．台粗利（パチンコ台１台当たりの粗利（＝台売上−景品金額））
ｏ．割数（（売上玉数＋差玉数）／売上玉数×１０）
ｐ．客滞率（通常状態での差玉数／売上玉数）
ｑ．玉単価（台売上／アウト玉数）
ｒ．玉粗利（台粗利／アウト玉数）
【００２０】
集中管理装置５では、上記「釘データ」群及び「売上データ」群より成る本日営業データを各営業日毎に演算して蓄積するものであり、そのデータ及びパチンコ台１についての他のデータを利用して、出玉率及び割数を補正する演算を行う構成となっている。この場合、出玉率の補正には、パチンコ台１についてメーカー側が発表している理論値と、パチンコ台１での実データである実績値が用いられる。具体的には、理論値としては、前記ＴＳの他に、確率変動期間中においてパチンコ台１に設定されている理論上の特賞発生確率の逆数（特賞発生までの平均スタート回数）であるＴＳＡ、確率変動期間中においてパチンコ台に設定されている理論上の特賞状態平均継続回数Ｋを利用し、実績値としては、前記Ｓ、ベース（以下、Ｂで示す）、ＳＡ、ＢＡ、ＴＯ、Ｔ１Ｙを利用する。
【００２１】
出玉率を補正するときには、まず、累計アウト玉数及び累計セーフ玉数を補正して補正アウト玉数及び補正セーフ玉数を算出し、その補正セーフ玉数を補正アウト玉数により除算することにより補正出玉数を算出する。即ち、
0003643353.tif 000002
という演算式で算出する。
【００２２】
割数を補正するときには、まず、客滞率の実績値などのデータを使用して台売上の補正を行い、その補正台売上などのデータを使用して割数の補正を行う。尚、以下の演算式中に示された累計Ｂサとは、通常状態における差玉数の累計値であり、累計Ｂサ＝（１００−Ｂ）／１００×ＢＯ×特賞発生回数の演算で得られる。
【００２３】
0003643353.tif 000003
という演算式で算出する。
【００２４】
この他、上記のように算出した補正台売上及び補正アウト玉数に基づいて補正玉単価（＝補正台売上／補正アウト玉数）及び補正玉粗利（（補正台売上−景品金額）／補正アウト玉数）を演算し、さらに、Ｓ（スタート）をマイナス１、マイナス２、プラス１、プラス２した場合の補正割数を演算し、それらの演算結果を集めた図４のような釘実態データを出力する。
また、集中管理装置５は、営業日毎のアウト（累計アウト玉数）、割数、補正割数の各データを複数の営業日に渡って集計した図５に示すような期間推移グラフを出力する構成となっている。
【００２５】
さらに、集中管理装置５は、パチンコホール内の全部のパチンコ台１についての本日営業データ（稼働データ）及び釘実態データ（補正稼働データ）の主要データを当該パチンコ台１の機種毎に集約・分類した状態の図６に示すような機種別集計データを出力する構成となっている。
【００２６】
この図６において、機種別集計データは、パチンコ台１の機種名（図６では大文字のアルファベットで示す）に対応付けた状態で、その機種に属するパチンコ台１の台数データと、本日営業データ（図３参照）のうちのアウト、ベース、出玉率、台売上、割数、玉単価、玉粗利の各平均値と、補正演算により得られた釘実態データ（図４参照）のうちの出玉率（「釘出玉率」と表記）、割数（「釘割数」と表記）、玉単価（「釘玉単価」と表記）、玉粗利（「釘玉粗利」と表記）の各平均値とを記録した形態となっている。また、本日営業データに対応したアウト、ベース、出玉率、台売上、割数、玉単価、玉粗利については、全パチンコ台１の平均値を記録し、さらに、台数データ及び本日営業データに対応したアウトについては、各合計値も記録した形態となっている。
【００２７】
要するに、上記した本実施例によれば、各パチンコ台１毎に予め提供されている理論上のデータ、特には、パチンコ台１のメーカーが発表している理論上の特賞発生確率の逆数（特賞発生までの平均スタート回数）ＴＳ、確率変動期間中においてパチンコ台１に設定されている理論上の特賞発生確率の逆数（特賞発生までの平均スタート回数）ＴＳＡ、確率変動期間中においてパチンコ台に設定されている理論上の特賞状態平均継続回数Ｋというデータ、つまり釘調整の影響を受けないデータに基づいてパチンコ台１におけるアウト玉数及びセーフ玉数を補正した上で、その補正後の補正アウト玉数及び補正セーフ玉数に基づいてパチンコ台１の補正出玉率を算出し、このように算出した補正出玉率などを利用して台売上を補正すると共に、その補正後の台売上データなどに基づいた演算よりパチンコ台１の割数を補正するようにしたので、このように補正された割数を示すデータ並びに前記補正出玉率に基づいて釘調整の適否を容易且つ適正に判断できるようになる。また、本日営業データ（稼働データ）と、この本日営業データを補正演算して得た釘実態データ（補正稼働データ）とを対応付けて成る機種別集計データが出力される構成、つまり、釘実態データの主要データがこれに対応する本日営業データの主要データと一緒に出力される構成となっているから、釘実態データと本日営業データとの比較により、データの補正演算による影響をきわめて容易に確認できるようになる。
【００２８】
また、補正アウト玉数及び補正セーフ玉数の演算は、予め決められた数式に基づいた演算により容易に算出できるから、それら補正アウト玉数及び補正セーフ玉数に基づいて算出する補正出玉率も容易に算出できるようになる。また、補正割数の演算も予め決められた数式に基づいて容易に算出できるようになる。
【００２９】
尚、本発明は上記した実施例に限定されるものではなく、次のような変形または拡張が可能である。
上記実施例において、補正出玉率や補正割数の演算に用いたＴＯ（パチンコ台１が特賞及び確率変動状態にある期間のアウト玉数）は、実際には特賞状態平均継続回数Ｋの変動に応じて値が変化するものの、出玉数及び割数に与える影響が少ないので、実績値として得られるＴＯを上記演算にそのまま使用しても問題ないが、より正確に補正出玉率及び補正割数を演算するために、下記の式により演算した補正ＴＯを用いるようにしても良い。但し、この場合は、実績値としてＴ１Ｏ（パチンコ台１が特賞状態にある期間におけるアウト玉数）のデータを収集する必要がある。
補正ＴＯ＝Ｔ１Ｏ×Ｋ＋ＴＳＡ／ＳＡ×ΔＵ×（Ｋ−１）
【００３０】
アウト信号は、パチンコ台１に対応して設置されているアウト玉回収器から出力される信号を代用しても良い。また、セーフ信号は、パチンコ台１に対応して設置されているセーフ玉補給器から出力される信号を代用しても良い。
【００３１】
割数を補正する際に、客滞率の実績値を利用する構成としたが、その客滞率（実績値）を経験値として得た演算式に基づいて補正し、その補正客滞率などのデータを使用して台売上の補正を行い、その補正台売上などのデータを使用して割数の補正を行っても良い。この場合、補正客滞率の演算は次式で行うことができる。
【００３２】
補正客滞率＝客滞率＋客滞率×（補正出玉率−出玉率）×客滞率変動比率
但し、客滞率変動比率は、出玉率と客滞率の変動の関係式を補正するための指数であり、例えば、平日営業日は「１」、土日・祭日の営業日は「１．１」に設定される（変動がない場合は「０」に設定する）。
【００３３】
上記実施例では、確率変動状態を呈するパチンコ台１がデータ管理対象となる場合について述べたが、特賞状態を呈するものの確率変動状態が設定されていないパチンコ台がデータ管理対象となる場合には、上記実施例中の補正セーフ玉数算出式に代えて、次式を用いれば良いものである。但し、Ｔ１Ｏはパチンコ台１が特賞状態にある期間におけるアウト玉数を示す。
【００３４】
0003643353.tif 000004
補正対象の稼働データとしては、出玉率や割数に限られるものではなく、パチンコ玉１個当たりの売上単価を示す玉単価、或いはパチンコ玉１個当たりの粗利を示す玉粗利を同様に補正する構成としても良いものである。
【図面の簡単な説明】
【図１】本発明の一実施例を示すシステム全体の概略的構成図
【図２】信号の出力タイミング例を示すタイムチャート
【図３】本日営業データの出力例を示す図
【図４】釘実態データの出力例を示す図
【図５】期間推移グラフの出力例を示す図
【図６】機種別集計データの出力例を示す図
【符号の説明】
１はパチンコ台、２はＣＲ機、４は島管理装置、５は集中管理装置（演算手段）を示す。
【図１】
0003643353.tif 000005
【図２】
0003643353.tif 000006
【図３】
0003643353.tif 000007
【図４】
0003643353.tif 000008
【図５】
0003643353.tif 000009
【図６】
0003643353.tif 000010